(57)【要約】【課題】センサチップの複合入力に対する軸分離性を向上させセンサ精度を改善すること。【解決手段】本センサチップは、基板と、第１の支持部と、周囲に前記第１の支持部が配置され、前記基板の中央に配置された第２の支持部と、隣接する前記第１の支持部同士を連結する第１の検知用梁と、前記第１の検知用梁に配置された、力が印加される力点と、前記第１の検知用梁の所定位置に配置された複数の歪検出素子と、を有し、前記複数の歪検出素子は、前記第１の支持部と前記力点の間における前記第１の検知用梁に形成された第１歪検出素子を含み、前記第１の検知用梁が前記第１の支持部または前記力点と連結される位置の前記第１の検知用梁の幅である第１梁幅より、前記第１歪検出素子が形成された位置の前記第１の検知用梁の幅である第２梁幅の方が小さい。【選択図】図６
2019132614.tif 000002
【特許請求の範囲】
【請求項１】
基板と、
第１の支持部と、
周囲に前記第１の支持部が配置され、前記基板の中央に配置された第２の支持部と、
隣接する前記第１の支持部同士を連結する第１の検知用梁と、
前記第１の検知用梁に配置された、力が印加される力点と、
前記第１の検知用梁の所定位置に配置された複数の歪検出素子と、を有し、
前記複数の歪検出素子は、前記第１の支持部と前記力点の間における前記第１の検知用梁に形成された第１歪検出素子を含み、
前記第１の検知用梁が前記第１の支持部または前記力点と連結される位置の前記第１の検知用梁の幅である第１梁幅より、前記第１歪検出素子が形成された位置の前記第１の検知用梁の幅である第２梁幅の方が小さい
センサチップ。
【請求項２】
前記第１の検知用梁と前記第２の支持部との間に、前記第１の検知用梁に平行に設けられた第２の検知用梁と、
平行に設けられた前記第１の検知用梁及び前記第２の検知用梁の組において、前記第１の検知用梁と前記第２の検知用梁とを連結する第３の検知用梁と、を備え、
前記力点は、前記第１の検知用梁と前記第３の検知用梁との交点に配置されている請求項１に記載のセンサチップ。
【請求項３】
前記第２梁幅／前記第１梁幅は０．５以下である
請求項１または２に記載のセンサチップ。
【請求項４】
前記第１歪検出素子が形成された位置の前記第１の検知用梁に、前記第１の検知用梁の梁幅を狭める凹形状が形成されている
請求項１乃至３のいずれか１項に記載のセンサチップ。
【請求項５】
前記第１歪検出素子が形成された位置の前記第１の検知用梁の短手方向の両側に前記凹形状が形成されている
請求項４に記載のセンサチップ。
【請求項６】
前記第１の検知用梁は、前記第１の検知用梁が前記第１の支持部または前記力点と連結される位置から、前記第１歪検出素子が形成された位置まで、梁幅が徐々に狭まるテーパー形状を有する
請求項１乃至３のいずれか１項に記載のセンサチップ。
【請求項７】
前記第１の検知用梁の短手方向の両側において梁幅が徐々に狭められるテーパー形状を有する
請求項６に記載のセンサチップ。
【請求項８】
前記基板の厚さ方向をＺ軸方向としたとき、
前記第１歪検出素子は、Ｚ軸を回転する方向の力を検出可能である
請求項１乃至７のいずれか１項に記載のセンサチップ。
【請求項９】
前記第１の検知用梁の外側に前記第１の検知用梁と平行に設けられた、隣接する前記第１の支持部同士を連結する第１の補強用梁と、
前記第１の支持部と前記第２の支持部とを連結する第２の補強用梁と、を有し、
前記第２の補強用梁は、前記第１の補強用梁と非平行に配置され、
前記第１の補強用梁及び前記第２の補強用梁は、前記第１の検知用梁、前記第２の検知用梁、及び前記第３の検知用梁よりも厚く形成され、
前記第２の検知用梁は、隣接する前記第２の補強用梁の前記第２の支持部側の端部同士を連結している
請求項２に記載のセンサチップ。
【請求項１０】
請求項１乃至９のいずれか１項に記載のセンサチップと、
印加された力を前記センサチップに伝達する起歪体と、を有する
力覚センサ装置。
【発明の詳細な説明】
【技術分野】
【０００１】
本発明は、センサチップ及び力覚センサ装置に関する。
【背景技術】
【０００２】
従来より、金属からなる起歪体に複数の歪ゲージを貼り付け、外力が印加された際の歪みを電気信号に変換することで多軸の力を検出する力覚センサ装置が知られている。しかし、この力覚センサ装置は、歪ゲージを１枚ずつ手作業によって貼り付ける必要から、精度や生産性に問題があり、構造上小型化することが困難であった。
【０００３】
一方、歪ゲージを歪み検出用のＭＥＭＳのセンサチップに置き換えることで、貼り合わせ精度の問題を解消し、かつ小型化を実現する力覚センサ装置が提案されている（例えば、特許文献１参照）。
【先行技術文献】
【特許文献】
【０００４】
【特許文献１】特許第４０１１３４５号
【発明の概要】
【発明が解決しようとする課題】
【０００５】
ところで、上記の従来のＭＥＭＳのセンサチップを用いた力覚センサ装置では、入力が単軸の場合（６つの軸［Ｆｘ，Ｆｙ，Ｆｚ，Ｍｘ，Ｍｙ，Ｍｚ］の内のいずれか１つの軸に沿った方向の場合）であれば、力覚センサは高い精度を得ることができる。
【０００６】
しかしながら、入力が複合入力の場合（６つの軸［Ｆｘ，Ｆｙ，Ｆｚ，Ｍｘ，Ｍｙ，Ｍｚ］の内のいずれか2つ以上の軸に沿った複合した入力の場合）は、軸分離性が不十分であるために力覚センサの誤差は大きくなり、精度が低下してしまっていた。特に、複合入力の場合は、精度の目標値に満たない複合入力の軸の組み合せが存在する。
【０００７】
本発明は、上記の点に鑑みてなされたもので、センサチップの複合入力に対する軸分離性を向上させセンサ精度を改善することを目的とする。
【課題を解決するための手段】
【０００８】
本センサチップ（１１０）は、基板と、第１の支持部（１１１ａ、１１１ｂ、１１１ｃ、１１１ｄ）と、周囲に前記第１の支持部が配置され、前記基板の中央に配置された第２の支持部（１１１ｅ）と、隣接する前記第１の支持部同士を連結する第１の検知用梁（１１３ａ、１１３ｄ、１１３ｇ、１１３ｊ）と、前記第１の検知用梁に配置された、力が印加される力点（１１４ａ、１１４ｂ、１１４ｃ、１１４ｄ）と、前記第１の検知用梁の所定位置に配置された複数の歪検出素子と、を有し、前記複数の歪検出素子は、前記第１の支持部と前記力点の間における前記第１の検知用梁に形成された第１歪検出素子（ＭｚＲ１、ＭｚＲ２、ＭｚＲ３、ＭｚＲ４、ＭｚＲ１'、ＭｚＲ２'、Ｍｚｒ３'、ＭｚＲ４'）を含み、前記第１の検知用梁が前記第１の支持部または前記力点と連結される位置の前記第１の検知用梁の幅である第１梁幅より、前記第１歪検出素子が形成された位置の前記第１の検知用梁の幅である第２梁幅の方が小さいことを要件とする。
【０００９】
なお、上記括弧内の参照符号は、理解を容易にするために付したものであり、一例にすぎず、図示の態様に限定されるものではない。
【発明の効果】
【００１０】
開示の技術によれば、センサチップの複合入力に対する軸分離性を向上させセンサ精度を改善することができる。
【図面の簡単な説明】
【００１１】
【図１】実施の形態に係る力覚センサ装置の一例を示す斜視図である。
【図２】実施の形態に係る力覚センサ装置のセンサチップ及び起歪体の一例を示す斜視図である。
【図３】実施の形態に係るセンサチップの一例のＺ軸方向上側から視た図である。
【図４】実施の形態に係るセンサチップの一例のＺ軸方向下側から視た図である。
【図５】実施の形態に係る各軸にかかる力及びモーメントを示す符号を説明する図である。
【図６】実施の形態に係るセンサチップの一例のピエゾ抵抗素子の配置を示す図である。
【図７】実施の形態に係る起歪体の一例を示す図（その１）である。
【図８】実施の形態に係る起歪体の一例を示す図（その２）である。
【図９】実施の形態に係る起歪体の一例を示す図（その３）である。
【図１０】実施の形態に係る力覚センサ装置の製造工程の一例を示す図（その１）である。
【図１１】実施の形態に係る力覚センサ装置の製造工程の一例を示す図（その２）である。
【図１２】実施の形態に係る力覚センサ装置の製造工程の一例を示す図（その３）である。
【図１３】実施の形態に係るセンサチップの一例の要部を拡大した平面図である。
【図１４】実施の形態に係るセンサチップの他の一例の要部を拡大した平面図である。
【図１５】参考例のセンサチップに力またはモーメントを印加したときの応力をシミュレーションにより算出した結果を示す図（応力コンター図）である。
【図１６】実施の形態のセンサチップに力またはモーメントを印加したときの応力をシミュレーションにより算出した結果を示す図（応力コンター図）である。
【図１７】実施の形態のセンサチップに力またはモーメントを印加したときの応力をシミュレーションにより算出した結果を示す図（応力コンター図）である。
【図１８】実施の形態のセンサチップに力またはモーメントを印加したときの応力をシミュレーションにより算出した結果を示す図（応力コンター図）である。
【図１９】参考例のセンサチップに対する他軸成分のシミュレーションについて説明する図である。
【図２０】実施の形態の他の一例のセンサチップに対する他軸成分のシミュレーションについて説明する図である。
【図２１】参考例のセンサチップに対する他軸成分のシミュレーションについて説明する図である。
【図２２】実施の形態の他の一例のセンサチップに対する他軸成分のシミュレーションについて説明する図である。
【図２３】参考例のセンサチップに対する他軸成分のシミュレーションについて説明する図である。
【図２４】実施の形態の他の一例のセンサチップに対する他軸成分のシミュレーションについて説明する図である。
【図２５】実施の形態のセンサチップに対する他軸成分のシミュレーションについて説明する図である。
【発明を実施するための形態】
【００１２】
以下、図面を参照して発明を実施するための形態について説明する。各図面において、同一構成部分には同一符号を付し、重複した説明を省略する場合がある。
【００１３】
（力覚センサ装置１の概略構成）
図１は、第１の実施の形態に係る力覚センサ装置を例示する斜視図である。図２は、第１の実施の形態に係る力覚センサ装置のセンサチップ及び起歪体を例示する斜視図である。図１及び図２を参照するに、力覚センサ装置１は、センサチップ１１０と、起歪体２０と、入出力基板３０とを有している。力覚センサ装置１は、例えば、工作機械等に使用されるロボットの腕や指等に搭載される多軸の力覚センサ装置である。
【００１４】
センサチップ１１０は、所定の軸方向の変位を最大で６軸検知する機能を有している。起歪体２０は、印加された力をセンサチップ１１０に伝達する機能を有している。
【００１５】
センサチップ１１０は、起歪体２０の上面側に、起歪体２０から突出しないように接着されている。また、起歪体２０の上面及び各側面に、センサチップ１１０に対して信号の入出力を行う入出力基板３０の一端側が適宜屈曲された状態で接着されている。センサチップ１１０と入出力基板３０の各電極３１とは、ボンディングワイヤ等（図示せず）により、電気的に接続されている。
【００１６】
入出力基板３０において、起歪体２０の第１の側面に配置された領域には能動部品３２及び受動部品３９が実装されている。入出力基板３０において、起歪体２０の第２の側面に配置された領域には能動部品３３及び受動部品３９が実装されている。入出力基板３０において、起歪体２０の第３の側面に配置された領域には能動部品３４及び受動部品３９が実装されている。入出力基板３０において、起歪体２０の第４の側面に配置された領域には能動部品３５及び受動部品３９が実装されている。
【００１７】
能動部品３３は、例えば、センサチップ１１０から出力されるＸ軸方向の力Ｆｘを検出するブリッジ回路からのアナログの電気信号、及びセンサチップ１１０から出力されるＹ軸方向の力Ｆｙを検出するブリッジ回路からのアナログの電気信号をディジタルの電気信号に変換するＩＣ（ＡＤコンバータ）である。
【００１８】
能動部品３４は、例えば、センサチップ１１０から出力されるＺ軸方向の力Ｆｚを検出するブリッジ回路からのアナログの電気信号、及びセンサチップ１１０から出力されるＸ軸を軸として回転させるモーメントＭｘを検出するブリッジ回路からのアナログの電気信号をディジタルの電気信号に変換するＩＣ（ＡＤコンバータ）である。
【００１９】
能動部品３５は、例えば、センサチップ１１０から出力されるＹ軸を軸として回転させるモーメントＭｙを検出するブリッジ回路からのアナログの電気信号、及びセンサチップ１１０から出力されるＺ軸を軸として回転させるモーメントＭｚを検出するブリッジ回路からのアナログの電気信号をディジタルの電気信号に変換するＩＣ（ＡＤコンバータ）である。
【００２０】
能動部品３２は、例えば、能動部品３３、３４、及び３５から出力されるディジタルの電気信号に対して所定の演算を行い、力Ｆｘ、Ｆｙ、及びＦｚ、並びにモーメントＭｘ、Ｍｙ、及びＭｚを示す信号を生成し、外部に出力するＩＣである。受動部品３９は、能動部品３２〜３５に接続される抵抗やコンデンサ等である。
【００２１】
なお、能動部品３２〜３５の機能をいくつのＩＣで実現するかは任意に決定することができる。また、能動部品３２〜３５を入出力基板３０に実装せずに、入出力基板３０と接続される外部回路側に実装する構成とすることも可能である。この場合には、入出力基板３０からアナログの電気信号が出力される。
【００２２】
入出力基板３０は、起歪体２０の第１の側面の下方で外側に屈曲し、入出力基板３０の他端側が外部に引き出されている。入出力基板３０の他端側には、力覚センサ装置１と接続される外部回路（制御装置等）との電気的な入出力が可能な端子（図示せず）が配列されている。
【００２３】
なお、本実施の形態では、便宜上、力覚センサ装置１において、センサチップ１１０が設けられた側を上側または一方の側、その反対側を下側または他方の側とする。また、各部位のセンサチップ１１０が設けられた側の面を一方の面または上面、その反対側の面を他方の面または下面とする。但し、力覚センサ装置１は天地逆の状態で用いることができ、または任意の角度で配置することができる。また、平面視とは対象物をセンサチップ１１０の上面の法線方向（Ｚ軸方向）から視ることを指し、平面形状とは対象物をセンサチップ１１０の上面の法線方向（Ｚ軸方向）から視た形状を指すものとする。
【００２４】
（センサチップ１１０）
図３は、センサチップ１１０をＺ軸方向上側から視た図であり、図３（ａ）は斜視図、図３（ｂ）は平面図である。図４は、センサチップ１１０をＺ軸方向下側から視た図であり、図４（ａ）は斜視図、図４（ｂ）は底面図である。図４（ｂ）において、便宜上、同一高さの面を同一の梨地模様で示している。なお、センサチップ１１０の上面の一辺に平行な方向をＸ軸方向、垂直な方向をＹ軸方向、センサチップ１１０の厚さ方向（センサチップ１１０の上面の法線方向）をＺ軸方向としている。Ｘ軸方向、Ｙ軸方向、及びＺ軸方向は、互いに直交している。
【００２５】
図３及び図４に示すセンサチップ１１０は、１チップで最大６軸を検知できるＭＥＭＳ（Micro Electro Mechanical Systems）センサチップであり、ＳＯＩ（Silicon On Insulator）基板等の半導体基板から形成されている。センサチップ１１０の平面形状は、例えば、３０００μｍ角程度の正方形とすることができる。
【００２６】
センサチップ１１０は、柱状の５つの支持部１１１ａ〜１１１ｅを備えている。支持部１１１ａ〜１１１ｅの平面形状は、例えば、５００μｍ角程度の正方形とすることができる。第１の支持部である支持部１１１ａ〜１１１ｄは、センサチップ１１０の四隅に配置されている。第２の支持部である支持部１１１ｅは、支持部１１１ａ〜１１１ｄの中央に配置されている。
【００２７】
支持部１１１ａ〜１１１ｅは、例えば、ＳＯＩ基板の活性層、ＢＯＸ層、及び支持層から形成することができ、それぞれの厚さは、例えば、５００μｍ程度とすることができる。
【００２８】
支持部１１１ａと支持部１１１ｂとの間には、支持部１１１ａと支持部１１１ｂとに両端を固定された（隣接する支持部同士を連結する）、構造を補強するための補強用梁１１２ａが設けられている。支持部１１１ｂと支持部１１１ｃとの間には、支持部１１１ｂと支持部１１１ｃとに両端を固定された（隣接する支持部同士を連結する）、構造を補強するための補強用梁１１２ｂが設けられている。
【００２９】
支持部１１１ｃと支持部１１１ｄとの間には、支持部１１１ｃと支持部１１１ｄとに両端を固定された（隣接する支持部同士を連結する）、構造を補強するための補強用梁１１２ｃが設けられている。支持部１１１ｄと支持部１１１ａとの間には、支持部１１１ｄと支持部１１１ａとに両端を固定された（隣接する支持部同士を連結する）、構造を補強するための補強用梁１１２ｄが設けられている。
【００３０】
言い換えれば、第１の補強用梁である４つの補強用梁１１２ａ、１１２ｂ、１１２ｃ、及び１１２ｄが枠状に形成され、各補強用梁の交点をなす角部が、支持部１１１ｂ、１1１ｃ、１１１ｄ、１１１ａとなる。
【００３１】
支持部１１１ａの内側の角部と、それに対向する支持部１１１ｅの角部とは、構造を補強するための補強用梁１１２ｅにより連結されている。支持部１１１ｂの内側の角部と、それに対向する支持部１１１ｅの角部とは、構造を補強するための補強用梁１１２ｆにより連結されている。
【００３２】
支持部１１１ｃの内側の角部と、それに対向する支持部１１１ｅの角部とは、構造を補強するための補強用梁１１２ｇにより連結されている。支持部１１１ｄの内側の角部と、それに対向する支持部１１１ｅの角部とは、構造を補強するための補強用梁１１２ｈにより連結されている。第２の補強用梁である補強用梁１１２ｅ〜１１２ｈは、Ｘ軸方向（Ｙ軸方向）に対して斜めに配置されている。つまり、補強用梁１１２ｅ〜１１２ｈは、補強用梁１１２ａ、１１２ｂ、１１２ｃ、及び１１２ｄと非平行に配置されている。
【００３３】
補強用梁１１２ａ〜１１２ｈは、例えば、ＳＯＩ基板の活性層、ＢＯＸ層、及び支持層から形成することができる。補強用梁１１２ａ〜１１２ｈの太さ（短手方向の幅）は、例えば、１４０μｍ程度とすることができる。補強用梁１１２ａ〜１１２ｈのそれぞれの上面は、支持部１１１ａ〜１１１ｅの上面と略面一である。
【００３４】
これに対して、補強用梁１１２ａ〜１１２ｈのそれぞれの下面は、支持部１１１ａ〜１１１ｅの下面及び力点１１４ａ〜１１４ｄの下面よりも数１０μｍ程度上面側に窪んでいる。これは、センサチップ１１０を起歪体２０に接着したときに、補強用梁１１２ａ〜１１２ｈの下面が起歪体２０の対向する面と接しないようにするためである。
【００３５】
このように、歪を検知するための検知用梁とは別に、検知用梁よりも厚く形成した剛性の強い補強用梁を配置することで、センサチップ１１０全体の剛性を高めることができる。これにより、入力に対して検知用梁以外が変形しづらくなるため、良好なセンサ特性を得ることができる。
【００３６】
支持部１１１ａと支持部１１１ｂとの間の補強用梁１１２ａの内側には、補強用梁１１２ａと所定間隔を空けて平行に、支持部１１１ａと支持部１１１ｂとに両端を固定された（隣接する支持部同士を連結する）、歪を検知するための検知用梁１１３ａが設けられている。
【００３７】
検知用梁１１３ａと支持部１１１ｅとの間には、検知用梁１１３ａ及び支持部１１１ｅと所定間隔を空けて検知用梁１１３ａと平行に、検知用梁１１３ｂが設けられている。検知用梁１１３ｂは、補強用梁１１２ｅの支持部１１１ｅ側の端部と補強用梁１１２ｆの支持部１１１ｅ側の端部とを連結している。
【００３８】
検知用梁１１３ａの長手方向の略中央部と、それに対向する検知用梁１１３ｂの長手方向の略中央部とは、検知用梁１１３ａ及び検知用梁１１３ｂと直交するように配置された検知用梁１１３ｃにより連結されている。
【００３９】
支持部１１１ｂと支持部１１１ｃとの間の補強用梁１１２ｂの内側には、補強用梁１１２ｂと所定間隔を空けて平行に、支持部１１１ｂと支持部１１１ｃとに両端を固定された（隣接する支持部同士を連結する）、歪を検知するための検知用梁１１３ｄが設けられている。
【００４０】
検知用梁１１３ｄと支持部１１１ｅとの間には、検知用梁１１３ｄ及び支持部１１１ｅと所定間隔を空けて検知用梁１１３ｄと平行に、検知用梁１１３ｅが設けられている。検知用梁１１３ｅは、補強用梁１１２ｆの支持部１１１ｅ側の端部と補強用梁１１２ｇの支持部１１１ｅ側の端部とを連結している。
【００４１】
検知用梁１１３ｄの長手方向の略中央部と、それに対向する検知用梁１１３ｅの長手方向の略中央部とは、検知用梁１１３ｄ及び検知用梁１１３ｅと直交するように配置された検知用梁１１３ｆにより連結されている。
【００４２】
支持部１１１ｃと支持部１１１ｄとの間の補強用梁１１２ｃの内側には、補強用梁１１２ｃと所定間隔を空けて平行に、支持部１１１ｃと支持部１１１ｄとに両端を固定された（隣接する支持部同士を連結する）、歪を検知するための検知用梁１１３ｇが設けられている。
【００４３】
検知用梁１１３ｇと支持部１１１ｅとの間には、検知用梁１１３ｇ及び支持部１１１ｅと所定間隔を空けて検知用梁１１３ｇと平行に、検知用梁１１３ｈが設けられている。検知用梁１１３ｈは、補強用梁１１２ｇの支持部１１１ｅ側の端部と補強用梁１１２ｈの支持部１１１ｅ側の端部とを連結している。
【００４４】
検知用梁１１３ｇの長手方向の略中央部と、それに対向する検知用梁１１３ｈの長手方向の略中央部とは、検知用梁１１３ｇ及び検知用梁１１３ｈと直交するように配置された検知用梁１１３ｉにより連結されている。
【００４５】
支持部１１１ｄと支持部１１１ａとの間の補強用梁１１２ｄの内側には、補強用梁１１２ｄと所定間隔を空けて平行に、支持部１１１ｄと支持部１１１ａとに両端を固定された（隣接する支持部同士を連結する）、歪を検知するための検知用梁１１３ｊが設けられている。
【００４６】
検知用梁１１３ｊと支持部１１１ｅとの間には、検知用梁１１３ｊ及び支持部１１１ｅと所定間隔を空けて検知用梁１１３ｊと平行に、検知用梁１１３ｋが設けられている。検知用梁１１３ｋは、補強用梁１１２ｈの支持部１１１ｅ側の端部と補強用梁１１２ｅの支持部１１１ｅ側の端部とを連結している。
【００４７】
検知用梁１１３ｊの長手方向の略中央部と、それに対向する検知用梁１１３ｋの長手方向の略中央部とは、検知用梁１１３ｊ及び検知用梁１１３ｋと直交するように配置された検知用梁１１３ｌにより連結されている。
【００４８】
検知用梁１１３ａ〜１１３ｌは、支持部１１１ａ〜１１１ｅの厚さ方向の上端側に設けられ、例えば、ＳＯＩ基板の活性層から形成することができる。検知用梁１１３ａ〜１１３ｌの太さ（短手方向の幅）は、例えば、７５μｍ程度とすることができる。検知用梁１１３ａ〜１１３ｌの太さ（短手方向の幅）は、位置により異なっていてもよい。検知用梁１１３ａ〜１１３ｌのそれぞれの上面は、支持部１１１ａ〜１１１ｅの上面と略面一である。検知用梁１１３ａ〜１１３ｌのそれぞれの厚さは、例えば、５０μｍ程度とすることができる。
【００４９】
検知用梁１１３ａの長手方向の中央部の下面側（検知用梁１１３ａと検知用梁１１３ｃとの交点）には、力点１１４ａが設けられている。検知用梁１１３ａ、１１３ｂ、及び１１３ｃと力点１１４ａとにより、１組の検知ブロックをなしている。
【００５０】
検知用梁１１３ｄの長手方向の中央部の下面側（検知用梁１１３ｄと検知用梁１１３ｆとの交点）には、力点１１４ｂが設けられている。検知用梁１１３ｄ、１１３ｅ、及び１１３ｆと力点１１４ｂとにより、１組の検知ブロックをなしている。
【００５１】
検知用梁１１３ｇの長手方向の中央部の下面側（検知用梁１１３ｇと検知用梁１１３ｉとの交点）には、力点１１４ｃが設けられている。検知用梁１１３ｇ、１１３ｈ、及び１１３ｉと力点１１４ｃとにより、１組の検知ブロックをなしている。
【００５２】
検知用梁１１３ｊの長手方向の中央部の下面側（検知用梁１１３ｊと検知用梁１１３ｌとの交点）には、力点１１４ｄが設けられている。検知用梁１１３ｊ、１１３ｋ、及び１１３ｌと力点１１４ｄとにより、１組の検知ブロックをなしている。
【００５３】
力点１１４ａ〜１１４ｄは、外力が印加される箇所であり、例えば、ＳＯＩ基板のＢＯＸ層及び支持層から形成することができる。力点１１４ａ〜１１４ｄのそれぞれの下面は、支持部１１１ａ〜１１１ｅの下面と略面一である。
【００５４】
このように、力または変位を４つの力点１１４ａ〜１１４ｄから取り入れることで、力の種類毎に異なる梁の変形が得られるため、６軸の分離性が良いセンサを実現することができる。
【００５５】
なお、センサチップ１１０において、応力集中を抑制する観点から、内角を形成する部分はＲ状とすることが好ましい。
【００５６】
図５は、各軸にかかる力及びモーメントを示す符号を説明する図である。図５に示すように、Ｘ軸方向の力をＦｘ、Ｙ軸方向の力をＦｙ、Ｚ軸方向の力をＦｚとする。また、Ｘ軸を軸として回転させるモーメントをＭｘ、Ｙ軸を軸として回転させるモーメントをＭｙ、Ｚ軸を軸として回転させるモーメントをＭｚとする。
【００５７】
図６は、センサチップ１１０のピエゾ抵抗素子の配置を例示する図である。４つ力点１１４ａ〜１１４ｄに対応する各検知ブロックの所定位置には、複数の歪検知素子であるピエゾ抵抗素子が配置されている。
【００５８】
具体的には、図３及び図６を参照すると、力点１１４ａに対応する検知ブロックにおいて、ピエゾ抵抗素子ＭｘＲ３及びＭｘＲ４は、検知用梁１１３ａを長手方向に二等分する線上であって、かつ、検知用梁１１３ａの検知用梁１１３ｃに近い領域において検知用梁１１３ｃを長手方向（Ｙ方向）に二等分する線に対して対称な位置に配置されている。ピエゾ抵抗素子ＦｙＲ３及びＦｙＲ４は、検知用梁１１３ａを長手方向に二等分する線よりも補強用梁１１２ａ側であって、かつ、検知用梁１１３ａの検知用梁１１３ｃから遠い領域において検知用梁１１３ｃを長手方向に二等分する線に対して対称な位置に配置されている。
【００５９】
また、ピエゾ抵抗素子ＭｚＲ３'及びＭｚＲ４'は、検知用梁１１３ａを長手方向に二等分する線上であって、かつ、検知用梁１１３ａの支持部１１１ａ、１１１ｂと連結される位置と力点１１４ａと連結される位置の中点近傍において検知用梁１１３ｃを長手方向に二等分する線に対して対称な位置に配置されている。ここで、検知用梁１１３ａは、支持部１１１ａ、１１１ｂまたは力点１１４ａと連結される位置の検知用梁１１３ａの幅である第１梁幅より、ピエゾ抵抗素子ＭｚＲ３'及びＭｚＲ４'が形成された位置の検知用梁１１３ａの幅である第２梁幅の方が小さい。本実施の形態においては、図６に示されるように、検知用梁１１３ａは、検知用梁１１３ａが支持部１１１ａ、１１１ｂと連結される位置から、ピエゾ抵抗素子ＭｚＲ３'及びＭｚＲ４'が形成された位置にかけて、検知用梁１１３ａの短手方向の両側部において、梁幅が徐々に狭まるテーパー形状を有する。また、検知用梁１１３ａは、検知用梁１１３ａが力点１１４ａと連結される位置から、ピエゾ抵抗素子ＭｚＲ３'及びＭｚＲ４'が形成された位置にかけて、検知用梁１１３ａの短手方向の両側部において、梁幅が徐々に狭まるテーパー形状を有する。即ち、検知用梁１１３ａは、支持部１１１ａ、１１１ｂと連結される位置と力点１１４ａと連結される位置の間に梁幅が狭くなった箇所が形成されており、この梁幅が狭くなった箇所の検知用梁１１３ａの上にピエゾ抵抗素子ＭｚＲ３'及びＭｚＲ４'が形成されている。
【００６０】
力点１１４ｂに対応する検知ブロックにおいて、ピエゾ抵抗素子ＭｙＲ３及びＭｙＲ４は、検知用梁１１３ｄを長手方向に二等分する線上であって、かつ、検知用梁１１３ｄの検知用梁１１３ｆに近い領域において検知用梁１１３ｆを長手方向（Ｘ方向）に二等分する線に対して対称な位置に配置されている。ピエゾ抵抗素子ＦｘＲ３及びＦｘＲ４は、検知用梁１１３ｄを長手方向に二等分する線よりも補強用梁１１２ｂ側であって、かつ、検知用梁１１３ｄの検知用梁１１３ｆから遠い領域において検知用梁１１３ｆを長手方向に二等分する線に対して対称な位置に配置されている。
【００６１】
また、ピエゾ抵抗素子ＭｚＲ３及びＭｚＲ４は、検知用梁１１３ｄを長手方向に二等分する線上であって、かつ、検知用梁１１３ｄの支持部１１１ｂ、１１１ｃと連結される位置と力点１１４ｂと連結される位置の中点近傍において検知用梁１１３ｆを長手方向に二等分する線に対して対称な位置に配置されている。ここで、検知用梁１１３ｄは、支持部１１１ｂ、１１１ｃまたは力点１１４ｂと連結される位置の検知用梁１１３ｄの幅である第１梁幅より、ピエゾ抵抗素子ＭｚＲ３及びＭｚＲ４が形成された位置の検知用梁１１３ｄの幅である第２梁幅の方が小さい。本実施の形態においては、図６に示されるように、検知用梁１１３ｄは、検知用梁１１３ｄが支持部１１１ｂ、１１１ｃと連結される位置から、ピエゾ抵抗素子ＭｚＲ３及びＭｚＲ４が形成された位置にかけて、検知用梁１１３ｄの短手方向の両側部において、梁幅が徐々に狭まるテーパー形状を有する。また、検知用梁１１３ｄは、検知用梁１１３ｄが力点１１４ｂと連結される位置から、ピエゾ抵抗素子ＭｚＲ３及びＭｚＲ４が形成された位置にかけて、検知用梁１１３ｄの短手方向の両側部において、梁幅が徐々に狭まるテーパー形状を有する。即ち、検知用梁１１３ｄは、支持部１１１ｂ、１１１ｃと連結される位置と力点１１４ｂと連結される位置の間に梁幅が狭くなった箇所が形成されており、この梁幅が狭くなった箇所の検知用梁１１３ｄの上にピエゾ抵抗素子ＭｚＲ３及びＭｚＲ４が形成されている。
【００６２】
ピエゾ抵抗素子ＦｚＲ２及びＦｚＲ３は、検知用梁１１３ｅを長手方向に二等分する線上であって、かつ、検知用梁１１３ｅの検知用梁１１３ｆに近い領域において検知用梁１１３ｆを長手方向に二等分する線に対して対称な位置に配置されている。ピエゾ抵抗素子ＦｚＲ１'及びＦｚＲ４'は、検知用梁１１３ｅを長手方向に二等分する線上であって、かつ、検知用梁１１３ｅの検知用梁１１３ｆから遠い領域において検知用梁１１３ｆを長手方向に二等分する線に対して対称な位置に配置されている。
【００６３】
力点１１４ｃに対応する検知ブロックにおいて、ピエゾ抵抗素子ＭｘＲ１及びＭｘＲ２は、検知用梁１１３ｇを長手方向に二等分する線上であって、かつ、検知用梁１１３ｇの検知用梁１１３ｉに近い領域において検知用梁１１３ｉを長手方向（Ｙ方向）に二等分する線に対して対称な位置に配置されている。ピエゾ抵抗素子ＦｙＲ１及びＦｙＲ２は、検知用梁１１３ｇを長手方向に二等分する線よりも補強用梁１１２ｃ側であって、かつ、検知用梁１１３ｇの検知用梁１１３ｉから遠い領域において検知用梁１１３ｉを長手方向に二等分する線に対して対称な位置に配置されている。
【００６４】
ピエゾ抵抗素子ＭｚＲ１'及びＭｚＲ２'は、検知用梁１１３ｇを長手方向に二等分する線上であって、かつ、検知用梁１１３ｇの支持部１１１ｃ、１１１ｄと連結される位置と力点１１４ｃと連結される位置の中点近傍において検知用梁１１３ｉを長手方向に二等分する線に対して対称な位置に配置されている。ここで、検知用梁１１３ｇは、支持部１１１ｃ、１１１ｄまたは力点１１４ｃと連結される位置の検知用梁１１３ｇの幅である第１梁幅より、ピエゾ抵抗素子ＭｚＲ１'及びＭｚＲ２'が形成された位置の検知用梁１１３ｇの幅である第２梁幅の方が小さい。本実施の形態においては、図６に示されるように、検知用梁１１３ｇは、検知用梁１１３ｇが支持部１１１ｃ、１１１ｄと連結される位置から、ピエゾ抵抗素子ＭｚＲ１'及びＭｚＲ２'が形成された位置にかけて、検知用梁１１３ｇの短手方向の両側部において、梁幅が徐々に狭まるテーパー形状を有する。また、検知用梁１１３ｇは、検知用梁１１３ｇが力点１１４ｃと連結される位置から、ピエゾ抵抗素子ＭｚＲ１'及びＭｚＲ２'が形成された位置にかけて、検知用梁１１３ｇの短手方向の両側部において、梁幅が徐々に狭まるテーパー形状を有する。即ち、検知用梁１１３ｇは、支持部１１１ｃ、１１１ｄと連結される位置と力点１１４ｃと連結される位置の間に梁幅が狭くなった箇所が形成されており、この梁幅が狭くなった箇所の検知用梁１１３ｇの上にピエゾ抵抗素子ＭｚＲ１'及びＭｚＲ２'が形成されている。
【００６５】
力点１１４ｄに対応する検知ブロックにおいて、ピエゾ抵抗素子ＭｙＲ１及びＭｙＲ２は、検知用梁１１３ｊを長手方向に二等分する線上であって、かつ、検知用梁１１３ｊの検知用梁１１３ｌに近い領域において検知用梁１１３ｌを長手方向（Ｘ方向）に二等分する線に対して対称な位置に配置されている。ピエゾ抵抗素子ＦｘＲ１及びＦｘＲ２は、検知用梁１１３ｊを長手方向に二等分する線よりも補強用梁１１２ｄ側であって、かつ、検知用梁１１３ｊの検知用梁１１３ｌから遠い領域において検知用梁１１３ｌを長手方向に二等分する線に対して対称な位置に配置されている。
【００６６】
ピエゾ抵抗素子ＭｚＲ１及びＭｚＲ２は、検知用梁１１３ｊを長手方向に二等分する線上であって、かつ、検知用梁１１３ｊの支持部１１１ｄ、１１１ａと連結される位置と力点１１４ｄと連結される位置の中点近傍において検知用梁１１３ｌを長手方向に二等分する線に対して対称な位置に配置されている。ここで、検知用梁１１３ｊは、支持部１１１ｄ、１１１ａまたは力点１１４ｄと連結される位置の検知用梁１１３ｊの幅である第１梁幅より、ピエゾ抵抗素子ＭｚＲ１及びＭｚＲ２が形成された位置の検知用梁１１３ｊの幅である第２梁幅の方が小さい。本実施の形態においては、図６に示されるように、検知用梁１１３ｊは、検知用梁１１３ｊが支持部１１１ｄ、１１１ａと連結される位置から、ピエゾ抵抗素子ＭｚＲ１及びＭｚＲ２が形成された位置にかけて、検知用梁１１３ｊの短手方向の両側部において、梁幅が徐々に狭まるテーパー形状を有する。また、検知用梁１１３ｊは、検知用梁１１３ｊが力点１１４ｄと連結される位置から、ピエゾ抵抗素子ＭｚＲ１及びＭｚＲ２が形成された位置にかけて、検知用梁１１３ｊの短手方向の両側部において、梁幅が徐々に狭まるテーパー形状を有する。即ち、検知用梁１１３ｊは、支持部１１１ｄ、１１１ａと連結される位置と力点１１４ｄと連結される位置の間に梁幅が狭くなった箇所が形成されており、この梁幅が狭くなった箇所の検知用梁１１３ｊの上にピエゾ抵抗素子ＭｚＲ１及びＭｚＲ２が形成されている。
【００６７】
ピエゾ抵抗素子ＦｚＲ１及びＦｚＲ４は、検知用梁１１３ｋを長手方向に二等分する線上であって、かつ、検知用梁１１３ｋの検知用梁１１３ｌから遠い領域において検知用梁１１３ｌを長手方向に二等分する線に対して対称な位置に配置されている。ピエゾ抵抗素子ＦｚＲ２'及びＦｚＲ３'は、検知用梁１１３ｋを長手方向に二等分する線上であって、かつ、検知用梁１１３ｋの検知用梁１１３ｌに近い領域において検知用梁１１３ｌを長手方向に二等分する線に対して対称な位置に配置されている。
【００６８】
このように、センサチップ１１０では、各検知ブロックに複数のピエゾ抵抗素子を分けて配置している。これにより、力点１１４ａ〜１１４ｄに印加（伝達）された力の向き（軸方向）に応じた、所定の梁に配置された複数のピエゾ抵抗素子の出力の変化に基づいて、所定の軸方向の変位を最大で６軸検知することができる。
【００６９】
また、センサチップ１１０では、検知用梁１１３ｃ、１１３ｆ、１１３ｉ、及び１１３ｌをできるだけ短くして、検知用梁１１３ｂ、１１３ｅ、１１３ｈ、及び１１３ｋを検知用梁１１３ａ、１１３ｄ、１１３ｇ、及び１１３ｊに近づけ、検知用梁１１３ｂ、１１３ｅ、１１３ｈ、及び１１３ｋの長さをできるだけ確保する構造としている。この構造により、検知用梁１１３ｂ、１１３ｅ、１１３ｈ、及び１１３ｋが弓なりに撓みやすくなって応力集中を緩和でき、耐荷重を向上することができる。
【００７０】
また、センサチップ１１０では、検知用梁１１３ｃ、１１３ｆ、１１３ｉ、及び１１３ｌにはピエゾ抵抗素子を配置していない。その代り、検知用梁１１３ｃ、１１３ｆ、１１３ｉ、及び１１３ｌよりも細くて長く、弓なりに撓みやすい検知用梁１１３ａ、１１３ｄ、１１３ｇ、及び１１３ｊ、並びに検知用梁１１３ｂ、１１３ｅ、１１３ｈ、及び１１３ｋの応力が最大になる位置の近傍にピエゾ抵抗素子を配置している。その結果、センサチップ１１０では、効率よく応力を取り込むことが可能となり、感度（同じ応力に対するピエゾ抵抗素子の抵抗変化）を向上することができる。
【００７１】
なお、センサチップ１１０では、歪の検出に用いるピエゾ抵抗素子以外にも、ダミーのピエゾ抵抗素子が配置されている。ダミーのピエゾ抵抗素子は、歪の検出に用いるピエゾ抵抗素子も含めた全てのピエゾ抵抗素子が、支持部１１１ｅの中心に対して点対称となるように配置されている。
【００７２】
ここで、ピエゾ抵抗素子ＦｘＲ１〜ＦｘＲ４は力Ｆｘを検出し、ピエゾ抵抗素子ＦｙＲ１〜ＦｙＲ４は力Ｆｙを検出し、ピエゾ抵抗素子ＦｚＲ１〜ＦｚＲ４、ＦｚＲ１'〜ＦｚＲ４'は力Ｆｚを検出する。ピエゾ抵抗素子ＭｘＲ１〜ＭｘＲ４はモーメントＭｘを検出し、ピエゾ抵抗素子ＭｙＲ１〜ＭｙＲ４はモーメントＭｙを検出し、ピエゾ抵抗素子ＭｚＲ１〜ＭｚＲ４、ＭｚＲ１'〜ＭｚＲ４'はモーメントＭｚを検出する。本実施の形態においては、ピエゾ抵抗素子ＦｚＲ１'〜ＦｚＲ４'をダミーとして、ピエゾ抵抗素子ＦｚＲ１〜ＦｚＲ４から力Ｆｚを検出してもよいし、その逆の関係でもよい。また、ピエゾ抵抗素子ＭｚＲ１'〜ＭｚＲ４'をダミーとして、ピエゾ抵抗素子ＭｚＲ１〜ＭｚＲ４からモーメントＭｚを検出してもよいし、その逆の関係でもよい。
【００７３】
このように、センサチップ１１０では、各検知ブロックに複数のピエゾ抵抗素子を分けて配置している。これにより、力点１１４ａ〜１１４ｄに印加（伝達）された力または変位の向き（軸方向）に応じた、所定の梁に配置された複数のピエゾ抵抗素子の出力の変化に基づいて、所定の軸方向の変位を最大で６軸検知することができる。
【００７４】
具体的には、センサチップ１１０において、Ｚ軸方向の変位（Ｍｘ、Ｍｙ、Ｆｚ）は、所定の検知用梁の変形に基づいて検知することができる。すなわち、Ｘ軸方向及びＹ軸方向のモーメント（Ｍｘ、Ｍｙ）は、第１の検知用梁である検知用梁１１３ａ、１１３ｄ、１１３ｇ、及び１１３ｊの変形に基づいて検知することができる。また、Ｚ軸方向の力（Ｆｚ）は、第２の検知用梁である検知用梁１１３ｅ及び１１３ｋの変形に基づいて検知することができる。
【００７５】
また、センサチップ１１０において、Ｘ軸方向及びＹ軸方向の変位（Ｆｘ、Ｆｙ、Ｍｚ）は、所定の検知用梁の変形に基づいて検知することができる。すなわち、Ｘ軸方向及びＹ軸方向の力（Ｆｘ、Ｆｙ）は、第１の検知用梁である検知用梁１１３ａ、１１３ｄ、１１３ｇ、及び１１３ｊの変形に基づいて検知することができる。また、Ｚ軸方向のモーメント（Ｍｚ）は、第１の検知用梁である検知用梁１１３ａ、１１３ｄ、１１３ｇ、及び１１３ｊの変形に基づいて検知することができる。
【００７６】
上記の本実施の形態のセンサチップは、検知用梁１１３ａは、支持部１１１ａ、１１１ｂと連結される位置と力点１１４ａと連結される位置の中点近傍で梁幅が狭くなるように形成されており、この梁幅が狭くなった箇所の検知用梁１１３ａの上にピエゾ抵抗素子ＭｚＲ３'及びＭｚＲ４'が形成されている。検知用梁１１３ｄ、１１３ｇ、１１３ｊと、ピエゾ抵抗素子ＭｚＲ１、ＭｚＲ２、ＭｚＲ３、ＭｚＲ４、ＭｚＲ１'、ＭｚＲ２'についても同様である。この構成と、それによる効果については後述する。
【００７７】
各検知用梁の厚みと幅を可変することで、検出感度の均一化や、検出感度の向上等の調整を図ることができる。
【００７８】
但し、ピエゾ抵抗素子の数を減らし、５軸以下の所定の軸方向の変位を検知するセンサチップとすることも可能である。
【００７９】
上記の本実施の形態に係るセンサチップによれば、梁の中間部にテーパー形状あるいは凹形状等により梁幅が狭められた部分を設けることにより、力が印加されたときの梁の変形が変わり、新たに応力を検出できる箇所を作り出すことができる。これにより、応力発生個所を制御することが可能である。また、入力の種類によって梁の異なる箇所（梁の離れた箇所）に発生する応力をピエゾ抵抗素子で検出することで、干渉の少ない軸分離が実現でき、複合的な入力に対して高精度に検出することができる。本実施の形態に係るセンサチップでは、特にＭｚとＭｙの軸分離について高い効果を得ることができる。また、梁や力点を増加させることなく１本の梁で複数種類の力及びトルクを精度よく検出することができるため、センサチップを小型化できる。
【００８０】
（起歪体２０）
図７は、起歪体２０を例示する図（その１）であり、図７（ａ）は斜視図、図７（ｂ）は側面図である。図８は、起歪体２０を例示する図（その２）であり、図８（ａ）は平面図、図８（ｂ）は図８（ａ）のＡ−Ａ線に沿う縦断面斜視図である。図８（ａ）において、便宜上、同一高さの面を同一の梨地模様で示している。図９は、起歪体２０を例示する図（その３）であり、図９（ａ）は図８（ａ）のＢ−Ｂ線に沿う縦断面図であり、図９（ｂ）は図９（ａ）のＣ−Ｃ線に沿う横断面図である。
【００８１】
図７〜図９に示すように、起歪体２０は、被固定部に直接取り付けられる土台２１と、センサチップ１１０を搭載するセンサチップ搭載部となる柱２８と、柱２８の周囲に離間して配置された柱２２ａ〜２２ｄとを備えている。
【００８２】
より詳しくは、起歪体２０において、略円形の土台２１の上面に、土台２１の中心に対して均等（点対称）となるように４本の柱２２ａ〜２２ｄが配置され、隣接する柱同士を連結する第１の梁である４本の梁２３ａ〜２３ｄが枠状に設けられている。そして、土台２１の上面中央の上方に、柱２８が配置されている。なお、土台２１の平面形状は円形には限定されず、多角形等（例えば、正方形等）としてもよい。
【００８３】
柱２８は、柱２２ａ〜２２ｄよりも太くて短く形成されている。なお、センサチップ１１０は、柱２２ａ〜２２ｄの上面から突出しないように、柱２８上に固定される。
【００８４】
柱２８は、土台２１の上面には直接固定されていなく、接続用梁２８ａ〜２８ｄを介して柱２２ａ〜２２ｄに固定されている。そのため、土台２１の上面と柱２８の下面との間には空間がある。柱２８の下面と、接続用梁２８ａ〜２８ｄの各々の下面とは、面一とすることができる。
【００８５】
柱２８の接続用梁２８ａ〜２８ｄが接続される部分の横断面形状は例えば矩形であり、矩形の四隅と矩形の四隅に対向する柱２２ａ〜２２ｄとが接続用梁２８ａ〜２８ｄを介して接続されている。接続用梁２８ａ〜２８ｄが、柱２２ａ〜２２ｄと接続される位置２２１〜２２４は、柱２２ａ〜２２ｄの高さ方向の中間よりも下側であることが好ましい。この理由については、後述する。なお、柱２８の接続用梁２８ａ〜２８ｄが接続される部分の横断面形状は矩形には限定されず、円形や多角形等（例えば、六角形等）としてもよい。
【００８６】
接続用梁２８ａ〜２８ｄは、土台２１の中心に対して均等（点対称）となるように、土台２１の上面と所定間隔を空けて土台２１の上面と略平行に配置されている。接続用梁２８ａ〜２８ｄの太さや厚み（剛性）は、起歪体２０の変形を妨げないようにするため、柱２２ａ〜２２ｄや梁２３ａ〜２３ｄよりも細く薄く形成することが好ましい。
【００８７】
このように、土台２１の上面と柱２８の下面とは所定の距離だけ離れている。所定の距離は、例えば、数ｍｍ程度とすることができる。柱２８を土台２１の上面に直接固定せずに、土台２１の上面と柱２８の下面とを所定の距離だけ離すことの技術的意義については図１７〜図２２を参照しながら後述する。
【００８８】
土台２１には、起歪体２０を被固定部にねじ等を用いて締結するための貫通孔２１ｘが設けられている。本実施の形態では、土台２１には４つの貫通孔２１ｘが設けられているが、貫通孔２１ｘの個数は任意に決定することができる。
【００８９】
土台２１を除く起歪体２０の概略形状は、例えば、縦５０００μｍ程度、横５０００μｍ程度、高さ７０００μｍ程度の直方体状とすることができる。柱２２ａ〜２２ｄの横断面形状は、例えば、１０００μｍ角程度の正方形とすることができる。柱２８の横断面形状は、例えば、２０００μｍ角程度の正方形とすることができる。
【００９０】
但し、起歪体２０において、応力集中を抑制する観点から、内角を形成する部分はＲ状とすることが好ましい。例えば、柱２２ａ〜２２ｄの土台２１の上面の中心側の面は、上下がＲ状に形成されていることが好ましい。同様に、梁２３ａ〜２３ｄの土台２１の上面と対向する面は、左右がＲ状に形成されていることが好ましい。
【００９１】
梁２３ａ〜２３ｄのそれぞれの上面の長手方向の中央部には、梁２３ａ〜２３ｄの長手方向の中央部から上方に突起する突起部が設けられ、突起部上に、例えば四角柱状の入力部２４ａ〜２４ｄが設けられている。入力部２４ａ〜２４ｄは外部から力が印加される部分であり、入力部２４ａ〜２４ｄに力が印加されると、それに応じて梁２３ａ〜２３ｄ及び柱２２ａ〜２２ｄが変形する。
【００９２】
このように、４つの入力部２４ａ〜２４ｄを設けることで、例えば１つの入力部の構造と比較して、梁２３ａ〜２３ｄの耐荷重を向上することができる。
【００９３】
柱２８の上面の四隅には４本の柱２５ａ〜２５ｄが配置され、柱２８の上面の中央部には第４の柱である柱２５ｅが配置されている。柱２５ａ〜２５ｅは、同一の高さに形成されている。
【００９４】
すなわち、柱２５ａ〜２５ｅのそれぞれの上面は、同一平面上に位置している。柱２５ａ〜２５ｅのそれぞれの上面は、センサチップ１１０の下面と接着される接合部となる。
【００９５】
梁２３ａ〜２３ｄのそれぞれの内側面の長手方向の中央部には、梁２３ａ〜２３ｄのそれぞれの内側面から水平方向内側に突出する梁２６ａ〜２６ｄが設けられている。梁２６ａ〜２６ｄは、梁２３ａ〜２３ｄや柱２２ａ〜２２ｄの変形をセンサチップ１１０に伝達する第２の梁である。また、梁２６ａ〜２６ｄのそれぞれの上面の先端側には、梁２６ａ〜２６ｄのそれぞれの上面の先端側から上方に突起する突起部２７ａ〜２７ｄが設けられている。
【００９６】
突起部２７ａ〜２７ｄは、同一の高さに形成されている。すなわち、突起部２７ａ〜２７ｄのそれぞれの上面は、同一平面上に位置している。突起部２７ａ〜２７ｄのそれぞれの上面は、センサチップ１１０の下面と接着される接合部となる。梁２６ａ〜２６ｄ及び突起部２７ａ〜２７ｄは、可動部となる梁２３ａ〜２３ｄと連結されているため、入力部２４ａ〜２４ｄに力が印加されると、それに応じて変形する。
【００９７】
なお、入力部２４ａ〜２４ｄに力が印加されていない状態では、柱２５ａ〜２５ｅのそれぞれの上面と、突起部２７ａ〜２７ｄのそれぞれの上面とは、同一平面上に位置している。
【００９８】
起歪体２０において、土台２１、柱２２ａ〜２２ｄ、柱２８、梁２３ａ〜２３ｄ、入力部２４ａ〜２４ｄ、柱２５ａ〜２５ｅ、梁２６ａ〜２６ｄ、及び突起部２７ａ〜２７ｄの各部位は、剛性を確保しかつ精度良く作製する観点から、一体に形成されていることが好ましい。起歪体２０の材料としては、例えば、ＳＵＳ（ステンレス鋼）等の硬質な金属材料を用いることができる。中でも、特に硬質で機械的強度の高いＳＵＳ６３０を用いることが好ましい。
【００９９】
このように、センサチップ１１０と同様に、起歪体２０も柱と梁とを備えた構造とすることで、印加される力によって６軸それぞれで異なる変形を示すため、６軸の分離性が良い変形をセンサチップ１１０に伝えることができる。
【０１００】
すなわち、起歪体２０の入力部２４ａ〜２４ｄに印加された力を、柱２２ａ〜２２ｄ、梁２３ａ〜２３ｄ、及び梁２６ａ〜２６ｄを介してセンサチップ１１０に伝達し、センサチップ１１０で変位を検知する。そして、センサチップ１１０において、１つの軸につき１個ずつ形成されたブリッジ回路から各軸の出力を得ることができる。
【０１０１】
（力覚センサ装置１の製造工程）
図１０〜図１２は、力覚センサ装置１の製造工程を例示する図である。まず、図１０（ａ）に示すように、起歪体２０を作製する。起歪体２０は、例えば、成形や切削、ワイヤ放電等により一体に形成することができる。起歪体２０の材料としては、例えば、ＳＵＳ（ステンレス鋼）等の硬質な金属材料を用いることができる。中でも、特に硬質で機械的強度の高いＳＵＳ６３０を用いることが好ましい。起歪体２０を成形により作製する場合には、例えば、金属粒子とバインダーとなる樹脂とを金型に入れて成形し、その後、焼結して樹脂を蒸発させることで、金属からなる起歪体２０を作製できる。
【０１０２】
次に、図１０（ｂ）に示す工程では、柱２５ａ〜２５ｅの上面、及び突起部２７ａ〜２７ｄの上面に接着剤４１を塗布する。接着剤４１としては、例えば、エポキシ系の接着剤等を用いることができる。外部から印加される力に対する耐力の点から、接着剤４１はヤング率１ＧＰａ以上で厚さ２０μｍ以下であることが好ましい。
【０１０３】
次に、図１１（ａ）に示す工程では、センサチップ１１０を作製する。センサチップ１１０は、例えば、ＳＯＩ基板を準備し、準備した基板にエッチング加工（例えば、反応性イオンエッチング等）等を施す周知の方法により作製できる。また、電極や配線は、例えば、基板の表面にスパッタ法等によりアルミニウム等の金属膜を成膜後、金属膜をフォトリソグラフィによってパターニングすることにより作製できる。
【０１０４】
次に、図１１（ｂ）に示す工程では、センサチップ１１０の下面が柱２５ａ〜２５ｅの上面、及び突起部２７ａ〜２７ｄの上面に塗布された接着剤４１と接するように、センサチップ１１０を起歪体２０内に加圧しながら配置する。そして、接着剤４１を所定温度に加熱して硬化させる。これにより、センサチップ１１０が起歪体２０内に固定される。具体的には、センサチップ１１０の支持部１１１ａ〜１１１ｄが各々柱２５ａ〜２５ｅ上に固定され、支持部１１１ｅが柱２５ｅ上に固定され、力点１１４ａ〜１１４ｄが各々突起部２７ａ〜２７ｄ上に固定される。
【０１０５】
次に、図１２（ａ）に示す工程では、柱２２ａ〜２２ｄの上面に、接着剤４２を塗布する。接着剤４２としては、例えば、エポキシ系の接着剤等を用いることができる。なお、接着剤４２は、入出力基板３０を起歪体２０上に固定するためのものであり、外部から力が印加されないため、汎用の接着剤を用いることができる。
【０１０６】
次に、図１２（ｂ）に示す工程では、能動部品３２〜３５及び受動部品３９が実装された入出力基板３０を準備し、入出力基板３０の下面が柱２２ａ〜２２ｄの上面に塗布された接着剤４２と接するように、入出力基板３０を起歪体２０上に配置する。そして、入出力基板３０を起歪体２０側に加圧しながら接着剤４２を所定温度に加熱して硬化させる。これにより、入出力基板３０が起歪体２０に固定される。
【０１０７】
なお、入出力基板３０は、センサチップ１１０及び入力部２４ａ〜２４ｄを露出するように起歪体２０に固定される。入出力基板３０の各電極３１は、入力部２４ａ〜２４ｄに力が印加された際の歪みが最も少ない、起歪体２０の柱２２ａ〜２２ｄ上に配置することが好ましい。
【０１０８】
その後、入出力基板３０の起歪体２０から水平方向にはみ出した部分（入力端子側を除く）を、起歪体２０の各側面側に折り曲げる。そして、入出力基板３０とセンサチップ１１０の対応する部分をボンディングワイヤ等（図示せず）により電気的に接続する。これにより、力覚センサ装置１が完成する。
【０１０９】
このように、力覚センサ装置１は、センサチップ１１０、起歪体２０、及び入出力基板３０の３部品のみで作製できるため、組み立てが容易であり、かつ位置合わせ箇所も最低限で済むため、実装起因による精度の劣化を抑制できる。
【０１１０】
また、起歪体２０において、センサチップ１１０との接続箇所（柱２５ａ〜２５ｅの上面、及び突起部２７ａ〜２７ｄの上面）は全て同一平面にあるため、起歪体２０に対するセンサチップ１１０の位置合わせが１回で済み、起歪体２０にセンサチップ１１０を実装することが容易である。
【０１１１】
（検知用梁の形状の詳細）
図１３（ａ）は、本実施の形態に係るセンサチップの一例の要部を拡大した平面図である。図３及び図６に示される検知用梁１１３ａ、１１３ｄ、１１３ｇ、１１３ｊをまとめて検知用梁１１３ｍで示している。検知用梁１１３ｂ、１１３ｅ、１１３ｈ、１１３ｋをまとめて検知用梁１１３ｎで示している。検知用梁１１３ｃ、１１３ｆ、１１３ｉ、１１３ｌをまとめて検知用梁１１３ｏで示している。また、ピエゾ抵抗素子ＭｚＲ１、ＭｚＲ２、ＭｚＲ３、ＭｚＲ４、ＭｚＲ１'、ＭｚＲ２'、ＭｚＲ３'、ＭｚＲ４'を代表してＭｚＲ１、ＭｚＲ２で示している。
【０１１２】
図１３に示されるセンサチップの検知用梁１１３ｍにおいて、検知用梁１１３ｍが支持部と連結される位置から、ピエゾ抵抗素子ＭｚＲ１及びＭｚＲ２が形成された位置にかけて、検知用梁１１３ｍの短手方向の両側部において、梁幅が徐々に狭まるテーパー形状を有する。また、検知用梁１１３ｍは、検知用梁１１３ｍが力点と連結される位置から、ピエゾ抵抗素子ＭｚＲ１及びＭｚＲ２が形成された位置にかけて、検知用梁１１３ｍの短手方向の両側部において、梁幅が徐々に狭まるテーパー形状を有する。即ち、支持部または力点と連結される位置の検知用梁１１３ｍの幅である第１梁幅Ｗ３'より、ピエゾ抵抗素子ＭｚＲ１及びＭｚＲ２が形成された位置の検知用梁１１３ｍの幅である第２梁幅Ｗ１'の方が小さい。このように、検知用梁１１３ｍは、支持部と連結される位置と力点と連結される位置の間に梁幅が狭くなった箇所が形成されており、この梁幅が狭くなった箇所１１３ｑの検知用梁１１３ｍの上にピエゾ抵抗素子ＭｚＲ１及びＭｚＲ２が形成されている。
【０１１３】
上記の本実施の形態のセンサチップにおいて、Ｚ軸方向のモーメント（Ｍｚ）が入力されたとき、検知用梁１１３ｍにおいて発生する応力は、検知用梁１１３ｍの梁幅が狭くなった箇所１１３ｑとその近傍で大きくなる。従って、この梁幅が狭くなった箇所１１３ｑに配置されたピエゾ抵抗素子ＭｚＲ１及びＭｚＲ２は、Ｚ軸方向のモーメント（Ｍｚ）に対して高感度となる。梁幅が狭くなった箇所１１３ｑの位置は、例えば、検知用梁１１３ｍが支持部と連結される位置と力点と連結される位置の中点あるいはその近傍である。Ｚ軸方向のモーメント（Ｍｚ）の入力時の応力が、検知用梁１１３ｍの梁幅が狭くなった箇所１１３ｑで大きくなるものであるから、梁幅が狭くなった箇所１１３ｑの位置は、検知用梁１１３ｍが支持部と連結される位置と力点と連結される位置の中点あるいはその近傍であることに限定されず、上記の中点よりも支持部側あるいは力点側に寄っていてもよい。この場合、梁幅が狭くなった箇所１１３ｑの検知用梁１１３ｍの上にピエゾ抵抗素子ＭｚＲ１及びＭｚＲ２が形成されていればよい。
【０１１４】
一方、センサチップにＸ軸方向の力（Ｆｘ）が入力されたときに、ピエゾ抵抗素子ＭｚＲ１及びＭｚＲ２が形成されている、検知用梁１１３ｍの梁幅が狭くなった箇所１１３ｑには、応力はほとんど発生しない。また、センサチップにＹ軸方向のモーメント（Ｍｙ）が入力されたときに、ピエゾ抵抗素子ＭｚＲ１及びＭｚＲ２が形成されている、検知用梁１１３ｍの梁幅が狭くなった箇所１１３ｑには、応力はほとんど発生しない。
【０１１５】
本実施の形態のセンサチップによれば、Ｚ軸方向のモーメント（Ｍｚ）と、Ｘ軸方向の力（Ｆｘ）及びＹ軸方向のモーメント（Ｍｙ）との軸分離性が高められる。センサチップの複合入力に対する軸分離性を向上させて、センサ精度を改善することができる。
【０１１６】
本実施の形態のセンサチップにおいて、第２梁幅Ｗ１'／第１梁幅Ｗ３'は０．５以下であることが好ましい。これにより、Ｚ軸方向のモーメント（Ｍｚ）が入力されたときの応力が検知用梁１１３ａ、１１３ｄ、１１３ｇ、１１３ｊの梁幅が狭くなった箇所で高めることができる。例えば、第１梁幅Ｗ３'は１００μｍ〜１１５μｍ程度であり、第２梁幅Ｗ１'は５０μｍ程度である。
【０１１７】
上記においては、検知用梁１１３ｍの短手方向の両側部において、梁幅が徐々に狭まるテーパー形状を有する場合を説明しているが、検知用梁１１３ｍの短手方向の一方の側部で梁幅が徐々に狭まるテーパー形状を有する構成であってもよい。
【０１１８】
図１３（ｂ）は検知用梁１１３ｍ部分を拡大した平面図である。検知用梁１１３ｍの短手方向のテーパー部分の長さＡと、検知用梁１１３ｍの長手方向のテーパー部分の長さＢについて、Ａ：Ｂ＝１：８．５〜１：１０．５の式を満たすＡ及びＢの値を有するテーパー形状であることが好ましい。テーパー角度が足らないとＭｚ入力時の応力が、検知用梁の梁幅が狭められた箇所以外の領域に発生する可能性がある。テーパー角度が過度であると、検知用梁の梁幅が狭められた箇所の機械的強度が低下する可能性がある。
【０１１９】
図１４（ａ）及び（ｂ）は、本実施の形態に係るセンサチップの他の一例の要部を拡大した平面図である。図３及び図６に示される検知用梁１１３ａ、１１３ｄ、１１３ｇ、１１３ｊに対応する梁をまとめて検知用梁１１３ｍで示している。検知用梁１１３ｂ、１１３ｅ、１１３ｈ、１１３ｋに対応する梁をまとめて検知用梁１１３ｎで示している。検知用梁１１３ｃ、１１３ｆ、１１３ｉ、１１３ｌに対応する梁をまとめて検知用梁１１３ｏで示している。また、ピエゾ抵抗素子ＭｚＲ１、ＭｚＲ２、ＭｚＲ３、ＭｚＲ４、ＭｚＲ１'、ＭｚＲ２'、ＭｚＲ３'、ＭｚＲ４'を代表してＭｚＲ１、ＭｚＲ２で示している。
【０１２０】
図１４に示されるセンサチップは、検知用梁１１３ｍの短手方向の両側部において凹形状１１３ｐが設けられている。これにより、検知用梁１１３ｍの梁幅が狭められた箇所を有する。凹形状１１３ｐが設けられて梁幅が狭められた箇所の検知用梁１１３ｍの上に、Ｚ軸方向のモーメント検出用のピエゾ抵抗素子ＭｚＲ１、ＭｚＲ２が設けられている。即ち、支持部または力点と連結される位置の検知用梁１１３ｍの幅である第１梁幅Ｗ３より、ピエゾ抵抗素子ＭｚＲ１及びＭｚＲ２が形成された位置の検知用梁１１３ｍの幅である第２梁幅Ｗ１の方が小さい。このように、検知用梁１１３ｍは、支持部と連結される位置と力点と連結される位置の間に梁幅が狭くなった箇所が形成されており、この梁幅が狭くなった箇所の検知用梁１１３ｍの上にピエゾ抵抗素子ＭｚＲ１及びＭｚＲ２が形成されている。
【０１２１】
図１４に示されるセンサチップにおいて、Ｚ軸方向のモーメント（Ｍｚ）が入力されたとき、検知用梁１１３ｍにおいて発生する応力は、検知用梁１１３ｍの梁幅が狭くなった凹形状１１３ｐとその近傍で大きくなる。一方、センサチップにＸ軸方向の力（Ｆｘ）が入力されたときに、ピエゾ抵抗素子ＭｚＲ１及びＭｚＲ２が形成されている、検知用梁１１３ｍの梁幅が狭くなった凹形状１１３ｐには、応力はほとんど発生しない。また、センサチップにＹ軸方向のモーメント（Ｍｙ）が入力されたときに、ピエゾ抵抗素子ＭｚＲ１及びＭｚＲ２が形成されている、検知用梁１１３ｍの梁幅が狭くなった凹形状１１３ｐには、応力はほとんど発生しない。このように、Ｚ軸方向のモーメント（Ｍｚ）と、Ｘ軸方向の力（Ｆｘ）及びＹ軸方向のモーメント（Ｍｙ）との軸分離性が高められる。センサチップの複合入力に対する軸分離性を向上させて、センサ精度を改善することができる。
【０１２２】
図１４に示されるセンサチップにおいて、凹形状１１３ｐの位置は、例えば、検知用梁１１３ｍが支持部と連結される位置と力点と連結される位置の中点あるいはその近傍であるが、これに限定されず、上記の中点よりも支持部側あるいは力点側に寄っていてもよい。この場合、凹形状１１３ｐにより梁幅が狭くなった箇所の検知用梁１１３ｍの上にピエゾ抵抗素子ＭｚＲ１及びＭｚＲ２が形成されていればよい。
【０１２３】
例えば、第１梁幅Ｗ３は１００μｍ〜１１５μｍ程度であり、第２梁幅Ｗ１は５０μｍ程度である。第２梁幅Ｗ１／第１梁幅Ｗ３は０．５以下であることが好ましい。支持部または力点と連結される位置と凹形状１１３ｐを除く部分の検知用梁１１３ｍの梁幅である第３梁幅Ｗ２は例えば８０μｍ程度である。第２梁幅Ｗ１／第３梁幅Ｗ２は０．７以下であることが好ましい。また、第３梁幅Ｗ２／第１梁幅Ｗ３は０．３以上、０．６以下であることが好ましい。
【０１２４】
また、図１４（ｂ）に示されるように、検知用梁１１３ｍの短手方向の両側部において形成された凹形状１１３ｐの幅（凹形状１１３ｐの検知用梁１１３ｍの長手方向の長さ）Ｌ１、凹形状１１３ｐの端部から梁幅がＷ２で一定となっている部分の検知用梁１１３ｍの長手方向の長さＬ２、検知用梁１１３ｍが支持部と連結される位置において梁幅がＷ２より幅が拡げられて梁幅Ｗ３となるまでの検知用梁１１３ｍの長手方向の長さＬ３に関して、Ｌ１／Ｌ３は０．５以下であることが好ましく、Ｌ１／Ｌ２が０．３以下であることが好ましく、Ｌ２／Ｌ３は０．５以上０．９以下であることが好ましい。例えばＬ１が１００μｍ程度、Ｌ２が１８７．５μｍ程度、Ｌ３が１２５μｍ程度である。
【０１２５】
また、検知用梁１１３ｍの短手方向の一方の側部に凹形状が形成されて梁幅が狭められている構成であってもよい。
【０１２６】
（第１実施例）
図１５は参考例のセンサチップにＺ軸方向のモーメント（Ｍｚ）を印加したときの応力をシミュレーションにより算出した結果を示す図（応力コンター図）である。引っ張りまたは圧縮の応力が局所的に極大となっている箇所に『＋』及び『−』に記号を付し、『＋』に向けてグラデーション濃度が濃くなるほど、あるいは『−』に向けてグラデーション濃度が薄くなるほど、引っ張りまたは圧縮の応力が大きくなることを示している。図１５の参考例では、図１３及び図１４とは異なり、検知用梁１１３ｍには、支持部と連結される位置と力点と連結される位置の間に梁幅が狭くなった箇所が形成されていない。参考例に係るセンサチップでは、Ｍｚ入力時に、検知用梁１１３ｍが支持部と連結される位置と、検知用梁１１３ｍが力点と連結される位置において、発生する応力が大きくなっていた。
【０１２７】
図１６は、図１４に示される本実施の形態の他の一例に係るセンサチップにＺ軸方向のモーメント（Ｍｚ）を印加したときにセンサチップに発生した応力をシミュレーションにより算出した結果を示す図（応力コンター図）である。検知用梁１１３ｍには、支持部と連結される位置と力点と連結される位置の間に凹形状が形成され、梁幅が狭くなった箇所となっている。Ｍｚ入力時に、凹形状が形成され、梁幅が狭くなった箇所で発生する応力が大きくなっていた。
【０１２８】
図１７は、図１４に示される本実施の形態の他の一例に係るセンサチップにＸ軸方向の力（Ｆｘ）を印加したときにセンサチップに発生した応力をシミュレーションにより算出した結果を示す図（応力コンター図）である。検知用梁１１３ｍには、支持部と連結される位置と力点と連結される位置の間に凹形状１１３ｐが形成され、梁幅が狭くなった箇所となっている。Ｆｘ入力時に、凹形状１１３ｐが形成され、梁幅が狭くなった箇所には、ほとんど応力は発生していなかった。また、Ｘ軸方向の力（Ｆｘ）の代わりにＹ軸方向のモーメント（Ｍｙ）を印加したときも、同様に、凹形状１１３ｐが形成され、梁幅が狭くなった箇所には、ほとんど応力は発生していなかった。
【０１２９】
図１８は、図１３に示される本実施の形態に係るセンサチップにＸ軸方向の力（Ｆｘ）を印加したときにセンサチップに発生した応力をシミュレーションにより算出した結果を示す図（応力コンター図）である。検知用梁１１３ｍには、支持部と連結される位置と力点と連結される位置の間に梁幅が狭くなった箇所１１３ｑが形成されている。Ｆｘ入力時に、梁幅が狭くなった箇所１１３ｑには、ほとんど応力は発生していなかった。また、Ｘ軸方向の力（Ｆｘ）の代わりにＹ軸方向のモーメント（Ｍｙ）を印加したときも、同様に、梁幅が狭くなった箇所１１３ｑには、ほとんど応力は発生していなかった。
【０１３０】
本実施の形態のセンサチップによれば、Ｚ軸方向のモーメント（Ｍｚ）と、Ｘ軸方向の力（Ｆｘ）及びＹ軸方向のモーメント（Ｍｙ）との軸分離性が高められることが確認された。
【０１３１】
（第２実施例）
図１９は参考例に係るセンサチップに対する他軸成分のシミュレーションについて説明する図である。参考例に係るセンサチップは、図１５に示されるセンサチップと同様であり、検知用梁１１３ｍには、支持部と連結される位置と力点と連結される位置の間に梁幅が狭くなった箇所が形成されていない。さらに、Ｍｚを検出するためのピエゾ抵抗素子は、検知用梁１１３ｍと支持部が連結される位置の近傍における検知用梁１１３ｍの上に形成されている。図１９は、参考例に係るセンサチップに、図面下方の入力軸の欄に示されるように選択された４つの軸を複合した入力を行ったときの、Ｆｘ入力とＦｘ出力の誤差（Ｎ）、Ｆｙ入力とＦｙ出力の誤差（Ｎ）、Ｆｚ入力とＦｚ出力の誤差（Ｎ）をシミュレーションにより求めた結果を示す図である。センサチップとしては、各軸に対して誤差が５％以内であることが求められている。図１９に示されるように、参考例に係るセンサチップでは、Ｆｚの出力の誤差が５％を超える複合入力の組み合わせが存在していた。
【０１３２】
図２０は本実施の形態の他の一例に係るセンサチップに対する他軸成分のシミュレーションについて説明する図である。本実施の形態の他の一例に係るセンサチップは、図１４に示されるセンサチップと同様であり、検知用梁１１３ｍには、短手方向の両側部に凹形状が形成されて梁幅が狭くなった箇所が形成され、この梁幅が狭くなった箇所にＭｚを検出するためのピエゾ抵抗素子が形成されている。図２０は、本実施の形態の他の一例に係るセンサチップに、図面下方の入力軸の欄に示されるように選択された４つの軸を複合した入力を行ったときの、Ｆｘ入力とＦｘ出力の誤差（Ｎ）、Ｆｙ入力とＦｙ出力の誤差（Ｎ）、Ｆｚ入力とＦｚ出力の誤差（Ｎ）をシミュレーションにより求めた結果を示す図である。図２０に示されるように、本実施の形態の他の一例に係るセンサチップでは、Ｆｘ、Ｆｙ、Ｆｚの出力はいずれも誤差が５％以下となっていた。図１９の参考例よりＦｘ、Ｆｙ、Ｆｚの出力の誤差が大きく改善されていた。
【０１３３】
図２１は参考例に係るセンサチップに対する他軸成分のシミュレーションについて説明する図である。参考例に係るセンサチップに、図面下方の入力軸の欄に示されるように選択された４つの軸を複合した入力を行ったときの、Ｍｘ入力とＭｘ出力の誤差（Ｎ・ｍ）、Ｍｙ入力とＭｙ出力の誤差（Ｎ・ｍ）、Ｍｚ入力とＭｚ出力の誤差（Ｎ・ｍ）をシミュレーションにより求めた結果を示す。センサチップとしては、各軸に対して誤差が５％以内であることが求められている。図２１に示されるように、参考例に係るセンサチップでは、Ｍｘ、Ｍｚの出力の誤差が５％を超える複合入力の組み合わせが存在していた。
【０１３４】
図２２は本実施の形態の他の一例に係るセンサチップに対する他軸成分のシミュレーションについて説明する図である。本実施の形態の他の一例に係るセンサチップに、図面下方の入力軸の欄に示されるように選択された４つの軸を複合した入力を行ったときの、Ｍｘ入力とＭｘ出力の誤差（Ｎ・ｍ）、Ｍｙ入力とＭｙ出力の誤差（Ｎ・ｍ）、Ｍｚ入力とＭｚ出力の誤差（Ｎ・ｍ）をシミュレーションにより求めた結果を示す。図２２に示されるように、本実施の形態の他の一例に係るセンサチップでは、Ｍｘの一部で５％を超えたが、それ以外のＭｘの出力と、Ｍｙ、Ｍｚの出力はいずれも誤差が５％以下となっていた。図２１の参考例よりＭｘ、Ｍｙ、Ｍｚの出力の誤差が大きく改善されていた。
【０１３５】
（第３実施例）
図２３は参考例に係るセンサチップに対する他軸成分のシミュレーションについて説明する図である。参考例に係るセンサチップは、図１５に示されるセンサチップと同様であり、検知用梁１１３ｍには、支持部と連結される位置と力点と連結される位置の間に梁幅が狭くなった箇所が形成されていない。さらに、Ｍｚを検出するためのピエゾ抵抗素子は、検知用梁１１３ｍと支持部が連結される位置の近傍における検知用梁１１３ｍの上に形成されている。図２３は、参考例に係るセンサチップに、単軸方向、２軸の複合入力、３軸の複合入力、４軸の複合入力、５軸の複合入力、６軸の複合入力を行ったときの、Ｆｘ入力とＦｘ出力の誤差（Ｎ）、Ｆｙ入力とＦｙ出力の誤差（Ｎ）、Ｆｚ入力とＦｚ出力の誤差（Ｎ）、Ｍｘ入力とＭｘ出力の誤差（Ｎ・ｍ）、Ｍｙ入力とＭｙ出力の誤差（Ｎ・ｍ）、Ｍｚ入力とＭｚ出力の誤差（Ｎ・ｍ）をシミュレーションにより求めた結果を示す図である。ここでは、Ｆｘ出力の誤差（Ｎ）、Ｆｙ出力の誤差（Ｎ）、Ｆｚ出力の誤差（Ｎ）をＦ系として、平均値（Ａｖｇ．）と最大値（Ｍａｘ．）を算出した。また、Ｍｘ出力の誤差（Ｎ・ｍ）、Ｍｙ出力の誤差（Ｎ・ｍ）、Ｍｚ出力の誤差（Ｎ・ｍ）をＭ系として、平均値（Ａｖｇ．）と最大値（Ｍａｘ．）を算出した。
【０１３６】
図２３に示されるように、参考例に係るセンサチップでは、Ｆ系の平均値（Ａｖｇ．）は単軸から６軸複合まで誤差は５％以下であったが、Ｆ系の最大値（Ｍａｘ．）は３〜６軸複合で誤差は５％を超えていた。Ｍ系の平均値（Ａｖｇ．）は５〜６軸複合で誤差は５％を超えていた。Ｍ系の最大値（Ｍａｘ．）は５〜６軸複合で誤差は５％を超えていた。
【０１３７】
図２４は本実施の形態の他の一例に係るセンサチップに対する他軸成分のシミュレーションについて説明する図である。本実施の形態の他の一例に係るセンサチップは、図１４に示されるセンサチップと同様である。図２４に示されるように、本実施の形態の他の一例に係るセンサチップでは、Ｆ系の平均値（Ａｖｇ．）及び最大値（Ｍａｘ．）は単軸から６軸複合まで誤差は５％以下であった。また、Ｍ系の平均値（Ａｖｇ．）は単軸から６軸複合まで誤差は５％以下であった。一方で、Ｍ系の最大値（Ｍａｘ．）は２〜５軸複合で誤差は５％を超えていた。図２４に示される本実施の形態の他の一例に係るセンサチップに対する他軸成分のシミュレーションから、軸分離性が大きく改善できていることが確認された。
【０１３８】
図２５は本実施の形態の一例に係るセンサチップに対する他軸成分のシミュレーションについて説明する図である。本実施の形態の一例に係るセンサチップは、図１３に示されるセンサチップと同様である。図２５に示されるように、本実施の形態の一例に係るセンサチップでは、Ｆ系の平均値（Ａｖｇ．）及び最大値（Ｍａｘ．）は単軸から６軸複合まで誤差は５％以下であった。また、Ｍ系の平均値（Ａｖｇ．）及び最大値（Ｍａｘ．）も単軸から６軸複合まで誤差は５％以下であった。図２５に示される本実施の形態の一例に係るセンサチップに対する他軸成分のシミュレーションから、軸分離性が大きく改善できていることが確認された。
【０１３９】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【０１４０】
１  力覚センサ装置
２０  起歪体
２１  土台
２２ａ〜２２ｄ、２５ａ〜２５ｄ、２８  柱
２３ａ〜２３ｄ、２６ａ〜２６ｄ  梁
２４ａ〜２４ｄ  入力部
２７ａ〜２７ｄ  突起部
３０  入出力基板
３１  電極
３２〜３５  能動部品
３９  受動部品
４０  受力板
４０ｘ、４０ｚ  凹部
４０ｙ  貫通孔
４１、４２  接着剤
１１０  センサチップ
１１１ａ〜１１１ｅ  支持部
１１２ａ〜１１２ｈ  補強用梁
１１３ａ〜１１３ｏ  検知用梁
１１３ｐ  凹形状
１１３ｑ  梁幅が狭くなった箇所
１１４ａ〜１１４ｄ  力点
ＦｚＲ１〜ＦｚＲ４、ＦｚＲ１'〜ＦｚＲ４、ＭｚＲ１〜ＭｚＲ４、ＭｚＲ１'〜ＭｚＲ４'、ＦｘＲ１〜ＦｘＲ４、ＦｙＲ１〜ＦｙＲ４、ＭｘＲ１〜ＭｘＲ４、ＭｙＲ１〜ＭｙＲ４  ピエゾ抵抗素子
【図１】
2019132614.tif 000003
【図２】
2019132614.tif 000004
【図３】
2019132614.tif 000005
【図４】
2019132614.tif 000006
【図５】
2019132614.tif 000007
【図６】
2019132614.tif 000008
【図７】
2019132614.tif 000009
【図８】
2019132614.tif 000010
【図９】
2019132614.tif 000011
【図１０】
2019132614.tif 000012
【図１１】
2019132614.tif 000013
【図１２】
2019132614.tif 000014
【図１３】
2019132614.tif 000015
【図１４】
2019132614.tif 000016
【図１５】
2019132614.tif 000017
【図１６】
2019132614.tif 000018
【図１７】
2019132614.tif 000019
【図１８】
2019132614.tif 000020
【図１９】
2019132614.tif 000021
【図２０】
2019132614.tif 000022
【図２１】
2019132614.tif 000023
【図２２】
2019132614.tif 000024
【図２３】
2019132614.tif 000025
【図２４】
2019132614.tif 000026
【図２５】
2019132614.tif 000027